(57)【要約】      （修正有）【課題】各種の電子装置に適応するいくつかの制御モードを備えた散熱装置を提供する。【解決手段】電子装置５０００を冷却する散熱装置１００であって、ファン１０２、前記ファンに接続され、前記電子装置に接続されたコントローラ１０４、および前記コントローラ接続され、温度変化が前記電子装置に検出された時、前記コントローラに第一信号を送るセンサー１０６を含み、前記電子装置は、第二信号をコントローラに送り、前記コントローラは、前記第一信号または前記第二信号のどちらかに応じて前記ファンの速度を変える。【選択図】図２
2006013471.tif 000002
【特許請求の範囲】
【請求項１】
電子装置を冷却する散熱装置であって、
ファンと、
前記ファンに接続され、前記電子装置に接続されたコントローラと、
前記コントローラ接続され、温度変化が前記電子装置に検出された時、前記コントローラに第一信号を送るセンサーとを含み、
前記電子装置は、第二信号をコントローラに送り、前記コントローラは、前記第一信号または前記第二信号のどちらかに応じて前記ファンの速度を変える散熱装置。
【請求項２】
前記コントローラは、前記第二信号を受けた時、前記第一信号の代わりに前記第二信号に応じて、前記ファンの速度を変える請求項１に記載の散熱装置。
【請求項３】
前記第二信号は、パルス幅変調信号である請求項１に記載の散熱装置。
【請求項４】
前記第二信号は、電圧信号である請求項１に記載の散熱装置。
【請求項５】
前記第一信号は、前記コントローラを通して前記電子装置に送られる請求項１に記載の散熱装置。
【請求項６】
前記電子装置によって出力された前記第二信号は、前記第一信号に応じて変えられる請求項５に記載の散熱装置。
【請求項７】
前記第二信号は、パルス幅変調信号である請求項６に記載の散熱装置。
【請求項８】
電子装置を冷却する散熱装置であって、
ファンと、
前記ファンに接続され、前記電子装置に接続されたコントローラと、
前記コントローラ接続され、前記電子装置の温度変化を検出することによって第一信号を前記コントローラに送ることができるセンサーと、
前記コントローラに接続され、前記電子装置から第二信号と第三信号を受け、前記第二信号、または前記第三信号を前記コントローラに入力するかどうかを決める論理素子とを含む散熱装置。
【請求項９】
前記第二信号は、パルス幅変調信号である請求項８に記載の散熱装置。
【請求項１０】
前記第三信号は、電圧信号である請求項８に記載の散熱装置。
【請求項１１】
前記ファンの速度は、前記第二信号、または前記第三信号のどちらかに応じて変えられる請求項８に記載の散熱装置。
【請求項１２】
散熱装置を制御する方法であって、前記散熱装置は、ファン、前記ファンと前記電子装置に接続されたコントローラと、前記コントローラに接続されたセンサーを含み、
前記センサーが前記電子装置の温度変化を検出した時、第一信号を前記コントローラに送り、前記ファンの速度を制御するステップ、および
前記電子装置によって前記コントローラに第二信号を送り、前記第一信号の代わりに前記ファンの速度を制御するステップを含む方法。
【請求項１３】
前記電子装置の温度が急上昇した時、前記第二信号は、前記電子装置によって前記コントローラに送られる請求項１２に記載の方法。
【請求項１４】
前記コントローラを通して前記電子装置に前記第一信号を送り、前記第二信号を生成するステップを更に含む請求項１２に記載の方法。
【請求項１５】
前記コントローラと前記電子装置の間に電気的接続された論理要素を提供し、前記電子装置によって送られた前記第二信号を前記コントローラに入力するステップを更に含む請求項１２に記載の方法。
【請求項１６】
前記第二信号は、前記電子装置から生成され、前記コントローラを通った複数の信号の一つを選ぶことによって決められる請求項１５に記載の方法。
【発明の詳細な説明】
【技術分野】
【０００１】
本発明は、散熱装置に関し、特に、デスクトップコンピュータなどの電子装置に必要なファンなどの散熱装置に関するものである。
【背景技術】
【０００２】
従来の散熱装置は、それぞれ図１ａと１ｂに示すように、主に二つの制御方式、温度制御方式とパルス幅変調方式（ＰＷＭ）を用いている。図１ａでは、温度センサー２０は、ファン１０に接続されている。温度センサー２０は、例えば、電子的要素（未表示）などの熱源の温度変化を検出し、信号を送ってファン１０の速度を変える。符号１２と１４は、電源からファン１０に出力する正負電圧を表す。符号１６は、ファン１０の速度を示す方形波信号ＦＧであり、電子装置（未表示）に送られた信号は、フィードバック信号となる。
【０００３】
図１ｂでは、ファン１０’の速度は、電子装置からのパルス幅変調信号（ここではＰＷＭ信号と称する）４０によって制御される。ファンの速度制御のためのＰＷＭ信号４０の出力は、例えば、電子的要素の温度の急上昇などの各種の要求に基づいている。符号１２’と１４’は、電源からファン１０’に出力する正負電圧を表す。符号電圧１６’は、ファン１０’の速度を示す方形波信号ＦＧであり、電子装置（未表示）に送られ、フィードバック信号となる。
【０００４】
ファン１０またはファン１０’のどちらも、単一の制御方式によって制御される。しかしこれは、異なる制御方式を用いる各種の電子装置に対してファンの適用性を制限する。
【０００５】
よって、各種のアプリケーションのためのいくつかの制御モードを備えたファンが必要となる。
【発明の開示】
【発明が解決しようとする課題】
【０００６】
よって、本発明の実施例は、各種の電子装置に適応するいくつかの制御モードを備えた散熱装置を提供する。
【課題を解決するための手段】
【０００７】
電子装置を冷却する本発明の実施例の散熱装置は、ファン、ファンに接続され、電子装置に接続されたコントローラと、コントローラ接続されたセンサーを含む。第一信号は、電子装置の温度変化を検出することによってコントローラに送られ、電子装置は、第二信号をコントローラに送る。コントローラは、第一信号または第二信号のどちらかに応じてファンの速度を変える。コントローラは、第二信号を受けた時、第一信号の代わりに第二信号に応じて、ファンの速度を変える。第二信号は、パルス幅変調信号または電圧信号であることができる。
【発明の効果】
【０００８】
本発明の実施例では、例えば、温度制御モード、ＰＷＭ制御モードと、電圧制御モードの各種の制御モードが散熱装置に組み合わせられている。この実施例の散熱装置は、従来より広範なアプリケーションを有することができる。
【発明を実施するための最良の形態】
【０００９】
本発明についての目的、特徴、長所が一層明確に理解されるよう、以下に実施形態を例示し、図面を参照にしながら、詳細に説明する。
【実施例１】
【００１０】
本実施例の散熱装置１００は、温度制御モードとＰＷＭ制御モードを組み合わせている。散熱装置１００は、ファン１０２、ファン１０２に接続され、その速度を制御するコントローラ１０４と、コントローラ１０４に接続され、電子装置５０００の温度変化を検出し、第一信号１２０をコントローラ１０４に送り、ファンの速度を制御する温度センサー１０６を含む。
【００１１】
電子装置５０００はまた、コントローラ１０４に接続され、第二信号１４０をコントローラ１０４に出力することができる。第二信号１４０は、ＰＷＭ信号であることができる。上述の配置では、ファンの速度は、温度センサー１０６からの第一信号１２０に応じて、コントローラ１０４によって制御される。しかし、電子装置５０００に特定の要求がある時、例えば、その中のある電子的要素の温度が急上昇した時、第二信号１４０が電子装置５０００によってコントローラ１０４に入力される。コントローラ１０４は、電子装置５０００の特定の冷却要求のために、第一信号１２０の代わりに第二信号１４０に応じて、ファンの速度を変える。
【００１２】
よって、温度制御モードとＰＷＭ制御モードの両方を散熱装置１００に用いることができる。
【実施例２】
【００１３】
図３を参照する。この実施例の散熱装置２００は、電子装置５０００から第三信号１６０と第四信号１８０を受ける論理素子３０１０が設けられている。論理素子３０１０は、第三信号１６０、または第四信号１８０をコントローラ１０４に入力するかどうかを決める。第三信号１６０は、ＰＷＭ信号であることができ、第四信号１８０は、電圧信号であることができる。コントローラ１０４は、ＰＷＭ信号と電圧信号の両方を受けることができるようにデザインされている。実施例１と同じように、コントローラ１０４は、通常の状態で温度センサー１０６から第一信号１２０を受け、ファンの速度を制御する。しかし、電子装置５０００に特定の要求がある時、コントローラ１０４は、第一信号１２０の代わりにＰＷＭ信号（第三信号１６０）、または電圧信号（第四信号１８０）を受け、ファンの速度を制御する。よって、三つの制御モードを散熱装置に組み合わせることができる。
【実施例３】
【００１４】
図４は、本発明の実施例３を示す。散熱装置３００は、ファン３０２、ファン３０２に接続されたコントローラ３０４と、コントローラ３０４に接続され、電子装置５０００の温度変化を検出し、コントローラ３０４を通して第一信号３２０を電子装置５０００に送る温度センサー３０６を含む。電子装置５０００は、第二信号３４０をコントローラ３０４に出力し、ファン３０２の速度を制御する。この実施例では、散熱装置５０００は、ＰＷＭ信号、または電圧制御信号（第二信号３４０）のどちらかだけを受けることができる。温度センサー３０６からの第一信号３２０は、コントローラ３０４の代わりに電子装置５０００に提供される。散熱装置５０００は、第二信号３４０を送り、第一信号３２０またはその他の信号（その他の要求）に応じてファンの速度を制御する。この実施例では、温度制御モードは、ＰＷＭ制御モードのみ提供された散熱装置と組み合わせられる。
【００１５】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００１６】
【図１ａ】従来の散熱装置のブロック図である。
【図１ｂ】もう一つの従来の散熱装置のブロック図である。
【図２】本発明の第一実施例の散熱装置のブロック図である。
【図３】本発明の第二実施例の散熱装置のブロック図である。
【図４】本発明の第三実施例の散熱装置のブロック図である。
【符号の説明】
【００１７】
１０、１０’  ファン
１２、１２’  電源から出力する正電圧
１４、１４’  電源から出力する負電圧
１６、１６’  ファンの速度を示す方形波信号
２０  温度センサー
４０  ＰＷＭ信号
１００、３００  散熱装置
１０２、３０２  ファン本体
１０４、３０４  コントローラ
１０６、３０６  温度センサー
１２０、３２０  第一信号
１４０、３４０  第二信号
１６０  第三信号
１８０  第四信号
３０１０  論理素子
５０００  電子装置
【図１ａ】
2006013471.tif 000003
【図１ｂ】
2006013471.tif 000004
【図２】
2006013471.tif 000005
【図３】
2006013471.tif 000006
【図４】
2006013471.tif 000007